(57)【要約】【課題】ベルト支持ロールとベルト部材とのタックによる異音を防止すること。【解決手段】無端状のベルト部材（Ｂ）と、前記ベルト部材（Ｂ）を挟んで対向して配置された一対のベルト支持ロール対（Ｔ２）と、前記ベルト支持ロール対（Ｔ２）の前記ベルト部材（Ｂ）回転方向下流側近傍で前記ベルト部材（Ｂ）に接触して配置された振動抑制部材（１）と、を備えた画像形成装置。【選択図】図２
2007298826.tif 000002
【特許請求の範囲】
【請求項１】
無端状のベルト部材と、
前記ベルト部材を挟んで対向して配置された一対のベルト支持ロール対と、
前記ベルト支持ロール対の前記ベルト部材回転方向下流側近傍で前記ベルト部材に接触して配置された振動抑制部材と、
を備えたことを特徴とする画像形成装置。
【請求項２】
前記ベルト部材の内側に配置され、前記ベルト部材を内側から外側に付勢する前記振動抑制部材、
を備えたことを特徴とする請求項１に記載の画像形成装置。
【請求項３】
前記ベルト部材の内側をクリーニングするクリーニング部材により構成された前記振動抑制部材、
を備えたことを特徴とする請求項２に記載の画像形成装置。
【発明の詳細な説明】
【技術分野】
【０００１】
本発明は、プリンタ、ＦＡＸ、複写機あるいはこれら全てまたは複数の機能を有する複合機等の画像形成装置に関し、特に、無端状のベルト部材を有する画像形成装置に関する。
【背景技術】
【０００２】
従来の電子写真方式の画像形成装置には、感光体ベルトや中間転写ベルト、シート搬送ベルト、定着ベルト等のベルト部材を備えたものがある。これらのベルト部材は、ベルト部材の内側に配置された内側ベルトロールと、内側ベルト支持ロールに対向して配置された外側ベルト支持ロールとからなるベルト支持ロール対で挟持されている。例えば、中間転写ベルトを挟持するバックアップロールおよび２次転写ロールや、中間転写ベルトを挟持する１次転写ロールおよび感光体ドラム、シート搬送ベルトを挟持する１次転写ロールおよび感光体ドラム等がある。
前記ベルト部材を挟持するベルト支持ロール対には、所定の挟持圧（ニップ圧）で挟持する挟持位置と、内側ベルト支持ロールと外側ベルト支持ロールとが離れる離隔位置とを移動する機構を備えたものがあるが、低コスト化からこのような機構を有しない常時接触型（常時挟持型）のベルト支持ロール対が増加している。しかし、これらの装置で、装置起動時（電源オン時やジョブ開始時等）に、周期性を持った異音、騒音が発生することがあった。
【０００３】
図４は従来技術の説明図であり、図４Ａはベルト部材が停止した状態の説明図、図４Ｂはベルト部材が回転を開始した直後の状態の説明図、図４Ｃはベルト部材が内側ベルト支持ロールから離隔した状態の説明図である。
本発明者の調査の結果、以下の理由により異音が発生していることがわかった。すなわち、図４Ａにおいて、ベルト支持ロール対（０１，０２）によりベルト部材０３を所定の挟持圧力で挟持しているために、ゴムロールで構成されたベルト支持ロール対（０１，０２）のゴム層表面から配合剤等がしみ出して（いわゆる、ブリードが発生して）、内側ベルト支持ロール０２のゴム層とベルト部材０３の裏面（内面）とが吸着する（タックする）。この状態で、ベルト部材０３が回転を開始すると、ベルト部材０３のタックした部分が内側ベルト支持ロール０２に吸着した状態で回転し、ベルト部材０３が引っ張られる（図４Ｂ参照）。この状態から、さらにベルト部材０３が回転すると、ベルト部材０３が内側ベルト支持ロール０２から離れ（図４Ｃ参照）、ベルト部材０３が弾かれて振動することにより、異音が発生していた。そして、ブリード成分はしばらくロール０２表面に残るため、異音は内側ベルト支持ロール０２のブリードした部分が挟持領域０４に突入する度に周期的に発生し、回転状態がしばらく経過すると異音が収まった。
【０００４】
前記ベルト部材とは関係がなく、ベルトの振動による異音の問題は発生しないが、画像形成装置の技術分野において、ゴムロールのブリードに対応するための技術として、下記の従来技術（Ｊ01）が公知である。
（Ｊ01）特許文献１（特開平０５−０２７６１５号公報）記載の技術
特許文献１には、感光体表面のトナー像を記録シートに転写する転写ロール（ゴムロール）において、転写ロールと感光体表面とが対向する転写領域にトナーを介在させて付着を防止する技術が記載されている。
【０００５】
【特許文献１】特開平０５−０２７６１５号公報
【発明の開示】
【発明が解決しようとする課題】
【０００６】
（従来技術の問題点）
前記従来技術（Ｊ01）を、中間転写ベルトのようなベルト部材に適用することが考えられるが、中間転写ベルトの表面にはトナーを供給することができても、裏面（内面）にはトナーを供給することができず、バックアップロール（内側ベルト支持ロール）と中間転写ベルトとのタックを防止することはできない。仮に、内側ベルト支持ロールと中間転写ベルトとの間にトナーを供給する装置を配置することも考えられるが、部品点数が多くなってコストが上昇し、構成が複雑化する問題がある。このほかにも、予め、トナーを内側ベルト支持ロールに付着させておくことも考えられるが、使用に伴って経時的に効果が低下する問題がある。
【０００７】
本発明は前記事情に鑑み、次の記載内容（Ｏ01），（Ｏ02）を技術的課題とする。
（Ｏ01）ベルト支持ロールとベルト部材とのタックによる異音を抑えること。
（Ｏ02）低コスト且つシンプルな構成で経時的に効果が維持可能な構成で、異音の発生を防止すること。
【課題を解決するための手段】
【０００８】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記技術的課題を解決するために第１発明の画像形成装置は、
無端状のベルト部材（Ｂ）と、
前記ベルト部材（Ｂ）を挟んで対向して配置された一対のベルト支持ロール対（Ｔ２）と、
前記ベルト支持ロール対（Ｔ２）の前記ベルト部材（Ｂ）回転方向下流側近傍で前記ベルト部材（Ｂ）に接触して配置された振動抑制部材（１）と、
を備えたことを特徴とする。
【００１０】
（第１発明の作用）
前記構成要件を備えた第１発明の画像形成装置では、一対のベルト支持ロール対（Ｔ２）は、無端状のベルト部材（Ｂ）を挟む。前記ベルト支持ロール対（Ｔ２）の前記ベルト部材（Ｂ）回転方向下流側近傍に配置された振動抑制部材（１）は、前記ベルト部材（Ｂ）に接触している。
したがって、第１発明の画像形成装置では、振動抑制部材（１）がベルト部材（Ｂ）に接触しているので、ベルト支持ロール対（Ｔ２）でのブリードによりベルト部材（Ｂ）回転時にベルト支持ロール対（Ｔ２）にベルト部材（Ｂ）が吸着された後（タックした後）弾かれて振動しても、振動が抑制される。したがって、振動による異音を低減することができる。また、ベルト支持ロール対（Ｔ２）の下流側に配置された振動抑制部材（１）で振動を防止できるので、従来技術のようにトナーを供給したりすることによるトナーの無駄遣いによるコスト上昇や構成の複雑化を防止でき、タックによる振動、異音の防止効果を長期に渡って維持できる。
【００１１】
（第１発明の形態１）
第１発明の形態１の画像形成装置は、前記第１発明の形態１において、
前記ベルト部材（Ｂ）の内側に配置され、前記ベルト部材（Ｂ）を内側から外側に付勢する前記ベルト振動抑制部材（１）、
を備えたことを特徴とする。
（第１発明の形態１の作用）
前記構成要件を備えた第１発明の形態１の画像形成装置では、前記ベルト部材（Ｂ）の内側に配置された前記ベルト振動抑制部材（１）は、前記ベルト部材（Ｂ）を内側から外側に付勢する。したがって、ベルト振動抑制部材（１）がベルト部材（Ｂ）を内側から外側に付勢するので、ベルト支持ロール対（Ｔ２）に巻き込まれるようにタックしたベルト部材（Ｂ）を、ベルト支持ロール対（Ｔ２）から速やかに離隔させることができ、振動を低減することができる。
【００１２】
（第１発明の形態２）
第１発明の形態２の画像形成装置は、前記第１発明の形態１において、
前記ベルト部材（Ｂ）の内側をクリーニングするクリーニング部材（１）により構成された前記ベルト振動抑制部材（１）、
を備えたことを特徴とする。
（第１発明の形態２の作用）
前記構成要件を備えた第１発明の形態２の画像形成装置では、前記ベルト振動抑制部材（１）が前記ベルト部材（Ｂ）の内側をクリーニングするクリーニング部材（１）により構成されているので、ベルト部材（Ｂ）の内側をクリーニングすることができる。
【発明の効果】
【００１３】
前述の本発明は、下記の効果（Ｅ01），（Ｅ02）を奏する。
（Ｅ01）ベルト支持ロールとベルト部材とのタックによる異音を抑えることができる。
（Ｅ02）低コスト且つシンプルな構成で経時的に効果が維持可能な構成で、異音の発生を防止することができる。
【発明を実施するための最良の形態】
【００１４】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１５】
図１は本発明の実施例１の画像形成装置の全体説明図である。
図１において、画像形成装置Ｕは自動原稿搬送装置Ｕ1と、これを支持し且つ上端にプラテンガラスＰＧを有する画像形成装置本体（複写機）Ｕ2とを備えている。
前記自動原稿搬送装置Ｕ1は、複写しようとする複数の原稿Ｇiが重ねて載置される原稿給紙トレイＴＧ1と、原稿給紙トレイＴＧ1から前記プラテンガラスＰＧ上の複写位置（原稿読取位置）を通過して搬送される原稿Ｇiが排出される原稿排紙トレイＴＧ2とを有している。
前記画像形成装置本体Ｕ2は、ユーザがコピースタート等の作動指令信号を入力操作するＵＩ（ユーザインタフェース）と、露光光学系Ａ等を有している。
【００１６】
前記自動原稿搬送装置Ｕ2でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、ＣＣＤから入力される前記ＲＧＢの電気信号をＫ（黒）、Ｙ（イエロー）、Ｍ（マゼンタ）、Ｃ（シアン）の画像データに変換して一時的に記憶し、前記画像データを所定のタイミングで潜像形成用の画像データとしてレーザ駆動回路ＤＬに出力する。
なお、原稿画像がモノクロの場合は、Ｋ（黒）のみの画像データがレーザ駆動回路ＤＬに入力される。
前記レーザ駆動回路ＤＬは、各色Ｙ，Ｍ，Ｃ，Ｋの各レーザ駆動回路（図示せず）を有し、入力された画像データに応じたレーザ駆動信号を所定のタイミングで、潜像形成光学系ＲＯＳの各色の潜像書込用レーザダイオード（図示せず）に出力する。
【００１７】
前記ＲＯＳの上方に配置されたトナー像形成装置Ｕｙ，Ｕｍ，Ｕｃ，Ｕｋはそれぞれ、Ｙ（イエロー）、Ｍ（マゼンタ）、Ｃ（シアン）、およびＫ（黒）の各色のトナー像を形成する装置である。
潜像形成光学系ＲＯＳの前記図示しない各レーザダイオードから出射したＹ，Ｍ，Ｃ，ＫのレーザビームＬｙ，Ｌｍ，Ｌｃ，Ｌｋは、それぞれ、回転する像担持体ＰＲｙ，ＰＲｍ，ＰＲｃ，ＰＲｋに入射する。
前記Ｙのトナー像形成装置Ｕｙは、回転する像担持体ＰＲｙ、帯電ロールＣＲｙ，現像装置Ｇｙ、転写ロールＴ１ｙ、クリーナＣＬｙを有しており、前記トナー像形成装置Ｕｍ，Ｕｃ，Ｕｋはいずれも前記Ｙのトナー像形成装置Ｕｙと同様に構成されている。
【００１８】
図２は実施例１の画像形成装置の要部拡大説明図である。
図１，図２において、前記各像担持体ＰＲｙ，ＰＲｍ，ＰＲｃ，ＰＲｋはそれぞれの帯電ロールＣＲｙ，ＣＲｍ，ＣＲｃ，ＣＲｋにより一様に帯電された後、画像書込位置Ｑ１ｙ、Ｑ１ｍ，Ｑ１ｃ，Ｑ１ｋにおいて、前記レーザビームＬｙ，Ｌｍ，Ｌｃ，Ｌｋにより、その表面に静電潜像が形成される。前記像担持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて現像器Ｇｙ，Ｇｍ，Ｇｃ，Ｇｋによりトナー像に現像される。
その現像されたトナー像は、中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写ロールＴ1ｙ，Ｔ1ｍ，Ｔ1ｃ，Ｔ1ｋには、コントローラＣにより制御される電源回路Ｅから所定のタイミングでトナーの帯電極性と逆極性の１次転写電圧が印加される。
前記各像担持体ＰＲｙ〜ＰＲｋ上のトナー像は前記１次転写ロールＴ1ｙ，Ｔ1ｍ，Ｔ1ｃ，Ｔ1ｋにより中間転写ベルトＢに１次転写される。１次転写後の像担持体ＰＲｙ，ＰＲｍ，ＰＲｃ，ＰＲｋ表面の残留トナーは、像担持体クリーナＣＬｙ，ＣＬｍ，ＣＬｃ，ＣＬｋによりクリーニングされる。
【００１９】
前記像担持体ＰＲｙ〜ＰＲｋの上方には、上下移動可能且つ前方に引き出し可能なベルトモジュールＢＭが配置されている。前記ベルトモジュールＢＭは、前記中間転写ベルトＢと、ベルト駆動ロールＲｄ、テンションロールＲｔ、ウォーキングロールＲｗ、アイドラロール（フリーロール）ＲｆおよびバックアップロールＴ２aを含むベルト支持ロール（Ｒｄ，Ｒｔ，Ｒｗ，Ｒｆ，Ｔ２a）と、前記１次転写ロールＴ1ｙ，Ｔ1ｍ，Ｔ1ｃ，Ｔ1ｋとを有している。そして、前記中間転写ベルトＢは前記ベルト支持ロール（Ｒｄ，Ｒｔ，Ｒｗ，Ｒｆ，Ｔ２a）により回転移動可能に支持されている。したがって、前記駆動ロールＲｄを回転駆動する駆動装置および前記ベルト支持ロール（Ｒｄ，Ｒｔ，Ｒｗ，Ｒｆ，Ｔ２a）等により中間転写ベルト駆動装置すなわち、中間転写材（中間転写ベルト）を搬送する転写材搬送装置（Ｒｄ，Ｒｔ，Ｒｗ，Ｒｆ，Ｔ２a）が構成されている。
【００２０】
図２において、前記中間転写ベルトＢの内側には、バックアップロールＴ２ａのベルト回転方向下流側近傍に、振動抑制部材１が回転自在に支持されている。前記振動抑制部材１は、中間転写ベルトＢを内側から外側に付勢するテンションロールにより構成されている。なお、実施例１の振動抑制部材１は、バックアップロールＴ２ａのベルト回転方向下流側２０ｍｍの位置に配置されており、ウレタン発泡ロール（ＡｓｋｅｒＣ硬度は２０度）により構成されている。また、実施例１の振動抑制部材１は、中間転写ベルトＢの内側をクリーニングするクリーニングロールとしての機能も有する。
【００２１】
前記バックアップロールＴ２aに接する中間転写ベルトＢの表面に対向して２次転写ロールＴ２bが配置されており、前記各ロールＴ２a，Ｔ２bにより２次転写器（ベルト支持ロール対、転写ロール対）Ｔ２が構成されている。また、２次転写ロールＴ２bおよび中間転写ベルトＢの対向する領域には２次転写領域Ｑ4が形成される。
なお、実施例１の二次転写ロールＴ２ｂは、発泡ウレタンの単層ロール（ＡｓｋｅｒＣ硬度は３５度）により構成されており、中間転写ベルトＢから離隔する機構は有しない。また、実施例１のバックアップロールＴ２ａは、エピクロルヒドリンにより構成されている。
前記１次転写領域Ｑ３ｙ，Ｑ３ｍ，Ｑ３ｃ，Ｑ３ｋで転写器Ｔ1ｙ，Ｔ1ｍ，Ｔ1ｃ，Ｔ1ｋにより中間転写ベルトＢ上に順次重ねて転写されたカラートナー像は、前記２次転写領域Ｑ4に搬送される。
【００２２】
前記ＲＯＳの下方には、給紙トレイＴＲ1〜ＴＲ3を前後方向（Ｘ軸方向）に出入可能に支持する左右一対のガイドレールＧＲ、ＧＲが３段設けられている。給紙トレイＴＲ1〜ＴＲ3の記録シート(最終転写材)Ｓは、ピックアップロールＲpにより取り出され、さばきロールＲsにより１枚ずつ分離れてから複数の搬送ロールＲａによりレジロールＲrに送られる。前記シート搬送ロールＲａはシートガイドにより形成されたシート搬送路ＳＨに沿って複数設けられており、２次転写領域Ｑ４のシート搬送方向上流側にはレジロールＲｒが配置されている。前記シート搬送路ＳＨ、シート搬送ロールＲａ、レジロールＲｒ等によりシート搬送装置（ＳＨ＋Ｒａ＋Ｒｒ）が構成されている。
【００２３】
レジロールＲrは、前記中間転写ベルトＢに形成されたカラートナー像が２次転写領域Ｑ4に搬送されるのにタイミングを合わせて、前記記録シートＳを２次転写領域Ｑ4に搬送する。記録シートＳが前記２次転写領域Ｑ4を通過する際、前記バックアップロールＴ２aはアースされ、２次転写ロールＴ２bには前記コントローラＣにより制御される電源回路Ｅから所定のタイミングでトナーの帯電極性と逆極性の２次転写電圧が印加される。このとき、前記中間転写ベルトＢ上のカラートナー像は、前記２次転写器Ｔ２により前記記録シートＳに転写される。
２次転写後の前記中間転写ベルトＢは、ベルトクリーナＣＬbによりクリーニングされる。
【００２４】
前記トナー像が２次転写された記録シートＳは、定着装置Ｆの加熱ロールＦhおよび加圧ロールＦpの圧接領域である定着領域Ｑ5に搬送され、前記定領域を通過する際に加熱定着された後、排出ローラＲhから排紙トレイＴＲhに排出される。
なお、前記加熱ロールＦh表面には、記録シートＳの前記加熱ロールからの離型性を良くするための離型剤が離型剤塗布装置Ｆaにより塗布されている。
【００２５】
前記ベルトモジュールＢＭの上方にはＹ（イエロー），Ｍ（マゼンタ），Ｃ（シアン），Ｋ（黒）の各現像剤を収容する現像剤カセットＫｙ，Ｋｍ，Ｋｃ，Ｋｋが配置されている。各現像剤カセットＫｙ，Ｋｍ，Ｋｃ，Ｋｋに収容された現像剤は、前記現像器Ｇｙ，Ｇｍ，Ｇｃ，Ｇｋの現像剤の消費に応じて、図示しない現像剤補給路から前記各現像器Ｇｙ，Ｇｍ，Ｇｃ，Ｇｋに補給される。
【００２６】
図１において、前記画像形成装置Ｕは上側フレームＵＦと下側フレームＬＦとを有しており、上側フレームＵＦには、前記ＲＯＳおよびＲＯＳよりも上方に配置された部材（像担持体ＰＲｙ，ＰＲｍ，ＰＲｃ，ＰＲｋ、現像器Ｇｙ，Ｇｍ，Ｇｃ，Ｇｋ、ベルトモジュールＢＭ等）が支持されている。
また、下側フレームＬＦには、前記給紙トレイＴＲ1〜ＴＲ3を支持するガイドレールＧＲおよび前記各トレイＴＲ1〜ＴＲ3から給紙を行う前記給紙部材（ピックアップロールＲp，さばきロールＲs，シート搬送ロールＲa等）が支持されている。
【００２７】
（実施例１の作用）
図３は実施例１の作用説明図である。
前記構成を備えた実施例１の画像形成装置Ｕでは、二次転写ロールＴ２ｂとバックアップロールＴ２ａとの挟圧により、バックアップロールＴ２ｂでブリードが発生することがある。しかし、バックアップロールＴ２ｂのベルト回転方向下流側近傍には、振動抑制部材１が配置されているので、ベルトＢ回転開始直後に、バックアップロールＴ２ａに吸着した（タックした）中間転写ベルトＢ（図３の破線参照）が、振動抑制部材１による付勢力により離される（図３の実線参照）。よって、タックした中間転写ベルトＢがバックアップロールＴ２ａに巻き込まれる量が小さくなるので、振動が小さくなり、発生する異音を低減できる。
【００２８】
また、振動抑制部材１がテンションロールにより構成されているので、中間転写ベルトＢが振動しても、テンションにより振動抑制部材１は中間転写ベルトＢに接触できる。したがって、発生した中間転写ベルトＢの振動も、中間転写ベルトＢに接触する振動抑制部材１により減衰されるので、振動が速やかに収まり、異音も速やかに収めることができる。
さらに、実施例１の画像形成装置では、振動抑制部材１がクリーニングロールと兼用されているので、中間転写ベルトＢの裏面の汚れにより、１次転写ロールＴ１ｙ〜Ｔ１ｋが汚れ、１次転写が正常に実行されず、濃度低下等の画質低下（ディフェクト）を抑制することもできる。
【００２９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）前記実施例において、画像形成装置としての複写機を例示したが、これに限定されず、ＦＡＸやプリンタあるいはこれらすべてまたは複数の機能を備えた複合機とすることも可能である。また、カラーの画像形成装置に限定されず、モノクロの画像形成装置により構成することも可能であり、いわゆるタンデム式の画像形成装置に限定されず、ロータリ式等の画像形成装置にも適用可能である。
【００３０】
（Ｈ02）前記実施例において、ロール状の振動抑制部材１を例示したが、これに限定されず、パッド状の振動抑制部材やブラシ状（望ましくは高密度ブラシ）の振動抑制部材等、任意の形状を採用可能である。また、テンションロールにより構成することが望ましいが、固定ロールとすることも可能である。
（Ｈ03）前記実施例において、ベルト部材として中間転写ベルトＢ、ベルト支持ロール対として二次転写器Ｔ２を例示したが、これに限定されず、感光体ベルト（トナー像担持ベルト）、転写ベルト、定着ベルト、シート搬送ベルト等、任意のベルト部材と、ベルト部材を挟圧するロール対とを有する画像形成装置に適用可能である。
（Ｈ04）前記実施例において、中間転写ベルトＢの裏面（内面）側に振動抑制部材１を配置したが、これに限定されず、表面側に設けることも可能である。
【００３１】
（Ｈ05）前記実施例において、例示した振動抑制部材のサイズや構成材料等は例示したものに限定されず、設計等に応じて任意に変更可能である。
（Ｈ06）前記実施例において、振動抑制部材をクリーニングロールと兼用したが、別個にクリーニング部材を設けることも可能である。
（Ｈ07）前記実施例において、中間転写ベルトを付勢する振動抑制部材とすることが望ましいが、中間転写ベルトに接触するだけの振動抑制部材とすることも可能である。
【図面の簡単な説明】
【００３２】
【図１】図１は本発明の実施例１の画像形成装置の全体説明図である。
【図２】図２は実施例１の画像形成装置の要部拡大説明図である。
【図３】図３は実施例１の作用説明図である。
【図４】図４は従来技術の説明図であり、図４Ａはベルト部材が停止した状態の説明図、図４Ｂはベルト部材が回転を開始した直後の状態の説明図、図４Ｃはベルト部材が内側ベルト支持ロールから離隔した状態の説明図である。
【符号の説明】
【００３３】
１…振動抑制部材、
１…クリーニング部材、
Ｂ…ベルト部材、
Ｔ２…ベルト支持ロール対。
【図１】
2007298826.tif 000003
【図２】
2007298826.tif 000004
【図３】
2007298826.tif 000005
【図４】
2007298826.tif 000006